(57)【要約】【課題】吊下枠体に袋体を袋口部を上にして吊下状に開口支持することができ、例えば、野積み状態の籾殻や肥料、わら屑、木材チップ等の粉粒状物をスコップ等を用いて袋体内に投入することができ、上記吊下枠体を高さ調節機構により高さ調節することができ、袋体への粉粒状物の詰入状態に応じて吊下枠体の高さを調節することができ、スコップ等による粉粒状物の投入袋積め作業を容易に行うことができる。【解決手段】設置体１に支柱体２を立設し、支柱体に籾殻や肥料等の粉粒状物Ｍを詰入可能な袋体Ｗを袋口部Ｗ1を上にして吊下状に開口支持可能な吊下枠体３を設けてなり、吊下枠体を上下高さ調節する高さ調節機構４を設けてなる。【選択図】図１
2005040112.tif 000002
【特許請求の範囲】
【請求項１】
設置体に支柱体を立設し、該支柱体に籾殻や肥料等の粉粒状物を詰入可能な袋体を袋口部を上にして吊下状に開口支持可能な吊下枠体を設けてなり、上記吊下枠体を上下高さ調節する高さ調節機構を設けてなることを特徴とする籾殻や肥料等の粉粒状物袋詰補助具。
【請求項２】
上記高さ調節機構として、上記支柱体に吊下枠体を上下動自在に設け、該支柱体に複数個の挿通穴を上下方向に設け、上記吊下枠体に該各挿通穴に挿通可能な挿通ピンを挿脱自在に設けてなることを特徴とする請求項１記載の籾殻や肥料等の粉粒状物袋詰補助具。
【請求項３】
上記袋体を袋口部を上にして上記吊下枠体に吊下状に開口支持可能な挟着具を設けてなることを特徴とする請求項１又は２記載の籾殻や肥料等の粉粒状物袋詰補助具。
【発明の詳細な説明】
【技術分野】
【０００１】
本発明は例えば籾殻や肥料、わら屑、木材チップ等の粉粒状物を袋詰めする際に用いられる籾殻や肥料等の粉粒状物袋詰補助具に関するものである。
【背景技術】
【０００２】
従来この種の籾殻や肥料、わら屑、木材チップ等の粉粒状物の袋詰めに際しては、一人の作業者が袋体を開口握持し、もう一人の作業者がスコップ等を用いて、籾殻や肥料等の粉粒状物を掬って袋体内に投入するようにしている。
【特許文献１】特願２００２−１９１４９９号
【発明の開示】
【発明が解決しようとする課題】
【０００３】
しかしながら上記の如く、袋詰めに際しては、作業者が二人必要となり、二人掛かりの作業となるため非能率的であるという不都合を有している。
【課題を解決するための手段】
【０００４】
本発明はこれらの不都合を解決することを目的とするもので、本発明のうちで、請求項１記載の発明は、設置体に支柱体を立設し、該支柱体に籾殻や肥料等の粉粒状物を詰入可能な袋体を袋口部を上にして吊下状に開口支持可能な吊下枠体を設けてなり、上記吊下枠体を上下高さ調節する高さ調節機構を設けてなることを特徴とする籾殻や肥料等の粉粒状物袋詰補助具にある。
【０００５】
又、請求項２記載の発明は、上記高さ調節機構として、上記支柱体に吊下枠体を上下動自在に設け、該支柱体に複数個の挿通穴を上下方向に設け、上記吊下枠体に該各挿通穴に挿通可能な挿通ピンを挿脱自在に設けてなることを特徴とするものであり、又、請求項３記載の発明は、上記袋体を袋口部を上にして上記吊下枠体に吊下状に開口支持可能な挟着具を設けてなることを特徴とするものである。
【発明の効果】
【０００６】
本発明は上述の如く、請求項１記載の発明にあっては、吊下枠体に袋体を袋口部を上にして吊下状に開口支持することができ、例えば、野積み状態の籾殻や肥料、わら屑、木材チップ等の粉粒状物をスコップ等を用いて袋体内に投入することができ、このため、一人の作業者により袋詰め作業を行うことができ、袋詰め作業を容易に行うことができ、しかも、上記吊下枠体を高さ調節機構により高さ調節することができ、袋体への粉粒状物の詰入状態に応じて吊下枠体の高さを調節することができ、例えば投入開始時は吊下枠体の高さを低く、投入開始後は投入量に応じて高くすることによりスコップ等による粉粒状物の投入袋積め作業を容易に行うことができる。
【０００７】
又、請求項２記載の発明にあっては、上記高さ調節機構として、上記支柱体に複数個の挿通穴を上下方向に設け、上記吊下枠体に該各挿通穴に挿通可能な挿通ピンを挿脱自在に設けてなるから、上記挿通ピンを上記支柱体に設けた複数個の挿通穴から選択した挿通穴に挿通することにより上記吊下枠体を上下高さ調節することができ、一層容易に袋詰め作業を行うことができ、又、請求項３記載の発明にあっては、上記袋体を袋口部を上にして上記吊下枠体に吊下状に開口支持可能な挟着具を設けてなるから、袋体の袋口部を吊下枠体に確実に吊下保持することができ、一層容易に袋詰め作業を行うことができる。
【発明を実施するための最良の形態】
【０００８】
上記吊下枠体を高さ調節機構により高さ調節することができ、袋体への粉粒状物の詰入状態に応じて吊下枠体の高さを調節することができ、スコップ等による粉粒状物の投入袋積め作業を容易に行うことができる。
【実施例】
【０００９】
図１乃至図５は本発明の実施の形態例を示し、１は設置体であって、板状に形成され、この設置体１に支柱体２を立設し、支柱体２に合成樹脂袋や麻製等の袋体Ｗを袋口部Ｗ1を上にして吊下状に開口支持可能な四角枠状の吊下枠体３を設けて構成している。
【００１０】
４は高さ調節機構であって、この場合、設置体１にブラケット１ａを固定立設し、ブラケット１ａにボルト１ｂにより支柱体２を固定立設し、吊下枠体３の筒部３ａを支柱体２に上下摺動自在に挿通し、上記支柱体２に複数個、この場合３個の挿通穴５・５・５を上下方向に形成し、吊下枠体３の筒部３ａに各挿通穴５・５・５に挿通可能な挿通ピン６を挿脱自在に設け、この挿通ピン６を選択した各挿通穴５に挿通することにより上記吊下枠体３を上下高さ調節するように構成している。
【００１１】
７は挟着具であって、クリップ状に形成され、この挟着具７により上記袋体Ｗを袋口部Ｗ1を上にして上記吊下枠体３に吊下状に挟着支持するように構成している。
【００１２】
この実施の形態例は上記構成であるから、吊下枠体３に袋体Ｗを袋口部Ｗ1を上にして吊下状に開口支持することができ、例えば、野積み状態の籾殻や肥料、わら屑、木材チップ等の粉粒状物Ｍをスコップ等を用いて袋体Ｗ内に投入することができ、このため、一人の作業者により袋詰め作業を行うことができ、袋詰め作業を容易に行うことができ、しかも、上記吊下枠体３を高さ調節機構４により高さ調節することができ、図４又は図５の如く、袋体Ｗへの粉粒状物Ｗの詰入状態に応じて吊下枠体３の高さを調節することができ、例えば投入開始時は吊下枠体３の高さを低く、投入開始後は投入量に応じて高くすることによりスコップ等による粉粒状物の投入袋積め作業を容易に行うことができる。
【００１３】
又、この場合、上記高さ調節機構４として、上記支柱体２に吊下枠体３を上下動自在に設け、上記支柱体２に複数個の挿通穴５・５・５を上下方向に設け、上記吊下枠体３に該各挿通穴５に挿通可能な挿通ピン６を挿脱自在に設けてなるから、上記挿通ピン６を上記支柱体２に設けた複数個の挿通穴５・５・５から選択した挿通穴５に挿通することにより上記吊下枠体３を上下高さ調節することができ、一層容易に袋詰め作業を行うことができ、又、この場合、上記袋体Ｗを袋口部Ｗ1を上にして上記吊下枠体３に吊下状に開口支持可能な挟着具７を設けてなるから、袋体Ｗの袋口部Ｗ1を吊下枠体に確実に吊下保持することができ、一層容易に袋詰め作業を行うことができる。
【００１４】
尚、本発明は上記実施の形態例に限られるものではなく、設置体１、支柱体２、吊下枠体３、高さ調節機構４の構造や材質等は適宜変更して設計される。
【００１５】
以上、所期の目的を充分達成することができる。
【図面の簡単な説明】
【００１６】
【図１】本発明の実施例の全体斜視図である。
【図２】本発明の実施例の分解斜視図である。
【図３】本発明の実施例の使用状態の斜視図である。
【図４】本発明の実施例の使用状態の側面図である。
【図５】本発明の実施例の使用状態の側面図である。
【符号の説明】
【００１７】
Ｗ    袋体
Ｗ1    袋口部
Ｍ    粉粒状物
１    設置体
２    支柱体
３    吊下枠体
４    高さ調節機構
５    挿通穴
６    挿通ピン
７    挟着具
【図１】
2005040112.tif 000003
【図２】
2005040112.tif 000004
【図３】
2005040112.tif 000005
【図４】
2005040112.tif 000006
【図５】
2005040112.tif 000007